(57)【要約】【課題】  保護管内に収容されたケーブルを必要に応じて容易に分岐させることができ、分岐部から保護管内への水等の侵入がなく、作業性および見た目に優れるケーブル保護管分岐部の配管構造等を提供する。【解決手段】  配管分岐構造１は、主管３と枝管５とがカバー７で接続される。主管３内のケーブル９は主管３に設けられたケーブル用開口部１１より外部に取り出されており、枝管５に挿通される。主管３と枝管５とはカバー７により保持され、カバー７の主管保持部１５により主管３が保持され、枝管保持部１３で枝管５が保持される。枝管保持部１３先端近傍の内面には枝管保持突起１４が設けられる。枝管保持部１５に挿入された枝管５の外周の波形が枝管保持突起１４により係止され固定される。なお、カバー７はケーブル用開口部１１全体を覆うように設けられる。【選択図】図１
2011041395.tif 000002
【特許請求の範囲】
【請求項１】
内部にケーブルが通線され、前記ケーブルを外部に取り出す開口部を有する主管と、
前記主管の前記開口部を覆うように設けられるカバーと、
前記開口部より取り出された前記ケーブルが通線される枝管と、
を具備し、
樹脂製の前記カバーは、前記主管を保持する主管保持部と、前記枝管を保持する枝管保持部とを有し、
前記主管保持部と前記枝管保持部との間が仕切り空間を介して連続した空間を形成し、
前記主管保持部の先端が開口しており、前記主管保持部の保持空間が、前記主管の断面よりも小さく、前記主管を前記主管保持部に取り付けた状態では、前記主管を挟み込むように前記主管保持部が弾性変形により開口し、
前記枝管保持部の保持空間が、前記枝管の断面よりも小さく、前記枝管を前記枝管保持部に挿入した状態では、前記枝管を挟み込むように前記枝管保持部が弾性変形により開口することを特徴とする配管構造。
【請求項２】
前記開口部から複数のケーブルが取り出され、前記開口部を覆うように前記カバーが設けられ、複数の前記カバーまたは複数の枝管保持部を有する前記カバーにそれぞれ前記枝管が接続され、それぞれの前記枝管にケーブルが通線されることを特徴とする請求項１記載の配管構造。
【請求項３】
内部にケーブルが通線される主管に取り付けられる樹脂製のカバーであって、
前記主管を保持する主管保持部と、
前記主管に設けられた開口部より取り出された前記ケーブルが通線される枝管を保持する枝管保持部と、
を少なくとも具備し、
（Ａ）前記主管保持部と前記枝管保持部との間が仕切り空間を介して連続した空間を形成し、
（Ｂ）前記主管保持部の先端が開口しており、前記主管保持部の保持空間が、前記主管の断面よりも小さく、前記主管を前記主管保持部に取り付けた状態では、前記主管を挟み込むように前記主管保持部が弾性変形により開口可能であり、
（Ｃ）前記枝管保持部の保持空間が、前記枝管の断面よりも小さく、前記枝管を前記枝管保持部に挿入した状態では、前記枝管を挟み込むように前記枝管保持部が弾性変形により開口可能であり、
（Ｄ）前記主管保持部と前記枝管保持部との間には、前記ケーブルが通過可能なケーブル通過部が形成され、
上記（Ａ）から（Ｄ）の構成を少なくとも具備することを特徴とする配管分岐カバー。
【請求項４】
前記ケーブル通過部は、前記主管保持部と前記枝管保持部の間に設けられ、前記枝管の挿入方向側端部からカバー長手方向に連続して形成された開口であり、前記枝管保持部の先端内面には、前記枝管を保持可能な突起が形成されることを特徴とする請求項３記載の配管分岐カバー。
【請求項５】
前記主管保持部の円周方向にはノッチが設けられ、前記ノッチに沿って前記主管保持部を切断することでカバー本体の長さを調整可能であることを特徴とする請求項３または請求項４記載の配管分岐カバー。
【請求項６】
前記主管保持部の開口には開閉可能な蓋部が形成され、前記蓋部の一方の端部と前記主管保持部の開口の一方の側の先端とが薄肉部で接合されており、前記蓋部の他方の端部および前記主管保持部の開口の他方の側の先端には、互いに結合可能な結合部が形成され、前記蓋部を閉じた状態では前記主管保持部の開口を塞ぐことが可能であることを特徴とする請求項３から請求項５のいずれかに記載の配管分岐カバー。
【請求項７】
前記枝管保持部が前記主管保持部に複数設けられ、前記主管保持部と複数の前記枝管保持部との間に仕切り空間を介して連続した空間を形成され、前記主管保持部と複数の前記枝管保持部との間には、前記ケーブルが通過可能なケーブル通過部が形成されることを特徴とする請求項３から請求項６のいずれかに記載の配管分岐カバー。
【請求項８】
請求項３から請求項７いずれかに記載の配管分岐カバーを用い、
第１の枝管内に通された第１のケーブルを主管に設けられた開口部より前記主管内に通線する工程（ａ）と、
前記開口部を覆うように前記主管保持部で第１の配管分岐カバーを前記主管に設ける工程（ｂ）と、
前記第１の配管分岐カバーの前記枝管保持部に前記第１の枝管を接続する工程（ｃ）と、
を具備することを特徴とするケーブルの敷設方法。
【請求項９】
請求項３から請求項７いずれかに記載の配管分岐カバーを用い、
第１のケーブルを主管に通線し、前記主管に設けられた開口部より取り出す工程（ｄ）と、
前記第１のケーブルを第１の枝管に通線する工程（ｅ）と、
前記開口部を覆うように前記主管保持部で第１の配管分岐カバーを前記主管に設ける工程（ｂ）と、
前記第１の配管分岐カバーの前記枝管保持部に前記第１の枝管を接続する工程（ｃ）と、
を具備することを特徴とするケーブルの敷設方法。
【請求項１０】
前記工程（ｂ）では、前記第１の配管分岐カバーは、前記開口部の一部を覆うように設けられ、
前記工程（ｂ）の後、第２の枝管内に通された第２のケーブルを前記開口部より前記主管に通線する工程（ｆ）と、
前記第１の配管分岐カバーと隣接し、かつ、前記開口部の全体を覆うように前記主管保持部で第２の配管分岐カバーを前記主管に設ける工程（ｇ）と、
前記第２の配管分岐カバーの前記枝管保持部に前記第２の枝管を接続する工程（ｈ）と、
を更に具備することを特徴とする請求項８または請求項９記載のケーブルの敷設方法。
【請求項１１】
前記工程（ａ）〜工程（ｃ）を繰り返し、
前記主管に所定の間隔をあけて前記開口部を複数設け、
それぞれの前記開口部に、枝管内に通されたそれぞれのケーブルを前記主管内に通線し、
それぞれの前記開口部を覆うように前記配管分岐カバーを前記主管に設け、
ぞれぞれの前記配管分岐カバーの前記枝管保持部に前記枝管を接続し、
前記主管に複数の分岐部を形成することを特徴とする請求項８記載のケーブルの敷設方法。
【発明の詳細な説明】
【技術分野】
【０００１】
本発明は、内部にケーブル等が通線される保護管等の配管構造、配管分岐部に設けられる配管分岐カバーおよびケーブル敷設方法に関するものである。
【背景技術】
【０００２】
従来、電線等のケーブルの保護管としては、例えば可撓性を有する樹脂性の波付き管や鋼管等が用いられる。しかし、従来の保護管を用いた場合、内部のケーブルを保護管の外部に取り出す部位においては、各ケーブル取り出し位置に設置され、内部のケーブル取り出しが可能な中継ボックス等を用いる必要がある。しかし、中継ボックスを用いるのでは、敷設のための施工工数を要し、コストも要する。これに対し、保護管の一部に孔を設けて内部のケーブルと取り出す方法がある。
【０００３】
電線等のケーブルを収容または取り出すことが可能な保護管としては、例えば、径方向の一方側に、長手方向の一方側から他方端まで連続的に切断された切割り部が設けられ、径方向の他端側に、長手方向の一方側から他方端まで連続的に切欠き孔が設けられる保護管がある（特許文献１）。
【先行技術文献】
【特許文献】
【０００４】
【特許文献１】特開２００２−１６５３２７号公報
【発明の概要】
【発明が解決しようとする課題】
【０００５】
しかし、特許文献１のような保護管に使用すると、切割り部からの水の侵入を防ぐ必要があり、また、保護管が外力によってつぶれてしまったり、切割り部が開いてしまう恐れがある。
【０００６】
本発明は、このような問題に鑑みてなされたもので、保護管内に収容されたケーブルを必要に応じて容易に分岐させることができ、分岐部から保護管内への水等の侵入がなく、作業性および外観（見た目）にも優れるケーブル保護管分岐部の配管構造等を提供することを目的とする。
【課題を解決するための手段】
【０００７】
前述した目的を達成するため、第１の発明は、内部にケーブルが通線され、前記ケーブルを外部に取り出す開口部を有する主管と、前記主管の前記開口部を覆うように設けられるカバーと、前記開口部より取り出された前記ケーブルが通線される枝管と、を具備し、樹脂製の前記カバーは、前記主管を保持する主管保持部と、前記枝管を保持する枝管保持部とを有し、前記主管保持部と前記枝管保持部との間が仕切り空間を介して連続した空間を形成し、前記主管保持部の先端が開口しており、前記主管保持部の保持空間が、前記主管の断面よりも小さく、前記主管を前記主管保持部に取り付けた状態では、前記主管を挟み込むように前記主管保持部が弾性変形により開口し、前記枝管保持部の保持空間が、前記枝管の断面よりも小さく、前記枝管を前記枝管保持部に挿入した状態では、前記枝管を挟み込むように前記枝管保持部が弾性変形により開口することを特徴とする配管構造である。
【０００８】
なお、主管は、例えば中継ボックスからケーブル敷設範囲に設置され、複数のケーブルが挿通される保護管であり、主管としては樹脂製、鋼製などが使用でき、波付き管や直管等任意の形状のものが使用できる。また、枝管は、主管から分岐して各部屋等まで敷設されたケーブルを保護するものであり、可撓性を有する波付き管であることが望ましい。
【０００９】
前記開口部から複数のケーブルが取り出され、前記開口部を覆うように前記カバーが設けられ、複数の前記カバーまたは複数の枝管保持部を有する前記カバーにそれぞれ前記枝管が接続され、それぞれの前記枝管にケーブルが通線されてもよい。
【００１０】
第１の発明によれば、主管と枝管との分岐部にカバーが設けられ、主管保持部の弾性変形で主管を抱え込むように取り付けることができる。特に、主管保持部の一部に開口が形成され、主管保持部と枝管保持部との間に、仕切り空間を介して連続した空間が形成されるため、主管保持部は開口部を開き、容易に主管に取り付け可能であるとともに、枝管保持部も仕切り空間側を開くことで容易に枝管を挿入することができ、容易に枝管と主管とを接続できる。また、主管に設けられた開口部を確実に塞ぎ、水等の侵入を防ぐことができるとともに、簡易で作業性に優れるケーブルの分岐部の配管構造を得ることができる。
【００１１】
また、主管に設けられた一つの開口部から、複数のケーブルが分岐する場合において、当該開口部を塞ぐように複数のカバーを併設するか、もしくは、複数の枝管を有する一体のカバーで当該開口部を塞ぐようにし、それぞれの枝管保持部に枝管を接続することができるため、一か所で複数の分岐を伴うような配管構造であっても、確実に枝管等を保持することができるとともに、主管への水等の侵入を防ぐことができる。
【００１２】
第２の発明は、内部にケーブルが通線される主管に取り付けられる樹脂製のカバーであって、前記主管を保持する主管保持部と、前記主管に設けられた開口部より取り出された前記ケーブルが通線される枝管を保持する枝管保持部と、を少なくとも具備し、（Ａ）前記主管保持部と前記枝管保持部との間が仕切り空間を介して連続した空間を形成し、（Ｂ）前記主管保持部の先端が開口しており、前記主管保持部の保持空間が、前記主管の断面よりも小さく、前記主管を前記主管保持部に取り付けた状態では、前記主管を挟み込むように前記主管保持部が弾性変形により開口可能であり、（Ｃ）前記枝管保持部の保持空間が、前記枝管の断面よりも小さく、前記枝管を前記枝管保持部に挿入した状態では、前記枝管を挟み込むように前記枝管保持部が弾性変形により開口可能であり、（Ｄ）前記主管保持部と前記枝管保持部との間には、前記ケーブルが通過可能なケーブル通過部が形成され、上記（Ａ）から（Ｄ）の構成を少なくとも具備することを特徴とする配管分岐カバーである。
【００１３】
前記ケーブル通過部は、前記主管保持部と前記枝管保持部の間に設けられ、前記枝管の挿入方向側端部からカバー長手方向（軸方向）に連続して形成された開口であり、前記枝管保持部の先端内面には、前記枝管を保持可能な突起が形成されてもよい。
【００１４】
前記主管保持部の円周方向にはノッチが設けられ、前記ノッチに沿って前記主管保持部を切断することでカバー本体の長さを調整可能であってもよい。前記主管保持部の開口には開閉可能な蓋部が形成され、前記蓋部の一方の端部と前記主管保持部の開口の一方の側の先端とが薄肉部で接合されており、前記蓋部の他方の端部および前記主管保持部の開口の他方の側の先端には、互いに結合可能な結合部が形成され、前記蓋部を閉じた状態では前記主管保持部の開口を塞ぐことが可能であってもよい。前記枝管保持部が前記主管保持部に複数設けられ、前記主管保持部と複数の前記枝管保持部との間に仕切り空間を介して連続した空間を形成され、前記主管保持部と複数の前記枝管保持部との間には、前記ケーブルが通過可能なケーブル通過部が形成されてもよい。
【００１５】
第２の発明によれば、主管と枝管との分岐部において、主管と枝管とを確実に保持することができるとともに、主管に設けられたケーブル取り出し開口部を確実に塞ぐことができる。特に、主管保持部の先端に開口が形成され、主管保持部と枝管保持部との間に、仕切り空間を介して連続した空間が形成されるため、主管保持部は開口部を開き、容易に主管に取り付け可能であるとともに、枝管保持部も仕切り空間側、すなわち主管保持部の開口側を開くことで容易に枝管を挿入することができ、容易に枝管と主管とを接続できる。また、カバーの主管保持部は弾性変形可能であり、主管の半周以上を覆うことができるような（半円よりも円弧長が長い）円弧断面形状であるため、確実に主管を保持することができる。なお、主管保持部の先端とは、主管保持部の下端であり枝管保持部形成側とは反対側の端部である。
【００１６】
また、主管保持部と枝管保持部との間にケーブルが通過可能なケーブル通過部が形成され、主管保持部と枝管保持部との間が完全につながらないように隙間が形成されるため、ケーブルが主管と枝管に挿通された状態で、カバーを主管および枝管に取り付けることができる。このため、カバー装着時にケーブルを撤去する必要がなく、または、あらかじめカバーにケーブルを挿通させておく必要がなく作業性に優れる。また、主管保持部と枝管保持部との間にケーブル通過部が設けられ、主管保持部上部が開口して円周方向につながっていないため、主管保持部を主管に取り付ける際に、より簡単に主管保持部端部を弾性変形させて開くことができる。このため、カバーの主管への取り付け性に優れる。
【００１７】
また、ケーブル逃げ部が枝管の挿入方向側端部から連続して形成された開口であれば、ケーブルを主管および枝管に挿通させた状態でカバーを確実に着脱することができ、また、枝管の先端内面に突起を設けておけば、波付き管である枝管をより確実に保持することができる。
【００１８】
また、主管保持部の円周方向にノッチを設けておけば、ノッチに沿ってカバーを折る（または切断）することができる。このため、使用状態に応じてカバーの長さを調整することができる。また、複数のカバーを併設する際には、少なくとも一方のカバーの長さを短くすることで、分岐部をコンパクトにすることができる。また、蓋部を有すれば、主管保持部で主管を保持した際に、主管により確実に取り付けることが可能である。また、枝管保持部が主管保持部に複数（例えば２つ）設けられ、主管保持部と複数の枝管保持部全体との間には、ケーブルが通過可能なケーブル通過部が形成されれば、複数の枝管への配管分岐構造を容易に形成することができる。
【００１９】
第３の発明は、第２の発明にかかる配管分岐カバーを用い、第１の枝管内に通された第１のケーブルを主管に設けられた開口部より前記主管内に通線する工程（ａ）と、前記開口部を覆うように前記主管保持部で第１の配管分岐カバーを前記主管に設ける工程（ｂ）と、前記第１の配管分岐カバーの前記枝管保持部に前記第１の枝管を接続する工程（ｃ）と、を具備することを特徴とするケーブルの敷設方法である。この場合、前記工程（ａ）〜工程（ｃ）を繰り返し、前記主管に所定の間隔をあけて前記開口部を複数設け、それぞれの前記開口部に、枝管内に通されたそれぞれのケーブルを前記主管内に通線し、それぞれの前記開口部を覆うように前記配管分岐カバーを前記主管に設け、ぞれぞれの前記配管分岐カバーの前記枝管保持部に前記枝管を接続し、前記主管に複数の分岐部を形成してもよい。
【００２０】
また第２の発明にかかる配管分岐カバーを用い、第１のケーブルを主管に通線し、前記主管に設けられた開口部より取り出す工程（ｄ）と、前記第１のケーブルを第１の枝管に通線する工程（ｅ）と、前記開口部を覆うように前記主管保持部で第１の配管分岐カバーを前記主管に設ける工程（ｂ）と、前記第１の配管分岐カバーの前記枝管保持部に前記第１の枝管を接続する工程（ｃ）と、を具備することを特徴とするケーブルの敷設方法である。
【００２１】
前記工程（ｂ）では、前記第１の配管分岐カバーは、前記開口部の一部を覆うように設けられ、前記工程（ｂ）の後、第２の枝管内に通された第２のケーブルを前記開口部より前記主管に通線する工程（ｆ）と、前記第１の配管分岐カバーと隣接し、かつ、前記開口部の全体を覆うように前記主管保持部で第２の配管分岐カバーを前記主管に設ける工程（ｇ）と、前記第２の配管分岐カバーの前記枝管保持部に前記第２の枝管を接続する工程（ｈ）と、を更に具備してもよい。
【００２２】
第３の発明によれば、主管の所望の位置において簡易な方法で内部のケーブルの分岐構造を形成でき、簡易にケーブルを敷設することができる。また、形成された分岐構造から主管内部に水等が浸入することがない。
【００２３】
また、一つの開口部を覆うように複数のカバーを設ければ、主管に設けた一つの開口部から複数の分岐部を形成することができる。このため、例えば、上階と下階との間に主管を通し、上下階の各部屋に枝管を敷設するような場合に、主管に不必要に多数の開口部を設ける必要がない。
【００２４】
また、主管に所定の間隔をあけて開口部を設け、それぞれの開口部に対してケーブルを挿通することで、例えば同一階の隣接する各部屋に対してケーブルを敷設する場合に、各部屋に近い位置に開口部を設ければ、必要以上に長い枝管を必要とせず、ケーブルの敷設作業が容易である。
【発明の効果】
【００２５】
本発明によれば、保護管内に収容されたケーブルを必要に応じて容易に分岐させることができ、分岐部から保護管内への水等の侵入がなく、作業性および見た目に優れるケーブル保護管の配管構造等を提供することができる。
【図面の簡単な説明】
【００２６】
【図１】配管分岐構造１を示す図であり、（ａ）は斜視図、（ｂ）は（ａ）の軸方向断面図、（ｃ）は、直管を用いた配管分岐構造１を示す斜視図。
【図２】カバー７を示す斜視図であり、（ａ）は上方斜視図、（ｂ）は下方斜視図。
【図３】カバー７を示す図で、（ａ）正面図、（ｂ）は（ａ）のＡ−Ａ線断面図。
【図４】配管分岐構造の施工方法を示す図。
【図５】複数の分岐を伴う配管分岐構造の施工方法を示す図。
【図６】カバー７を示す図で、（ａ）は側面図、（ｂ）はノッチ部１７でカバー７を切断した状態を示す図。
【図７】配管構造２０を示す図。
【図８】配管構造３０を示す図。
【図９】配管構造４０を示す図。
【図１０】ケーブル９を敷設する方法を示す図。
【図１１】カバー７’を示す図。
【図１２】カバー７’’を示す図。
【図１３】（ａ）はカバー７’’’を示す図、（ｂ）はカバー’’’’を示す図。
【発明を実施するための形態】
【００２７】
以下、本発明の実施の形態にかかる配管分岐構造１について説明する。図１は、配管分岐構造１を示す図であり、図１（ａ）は斜視図、図１（ｂ）は軸方向の断面図である。
【００２８】
主管３、枝管５は可撓性を有する波付き管であり、外周全体に山谷が交互に形成される。なお、図１（ｃ）に示すように、波付き管ではなく直管である鋼管等の主管３ａを用いることもできるが、以下の説明では、主管３として波付き管の例を説明する。また、枝管５も直管でも良いが、ケーブルの取り回しのため、可撓性を有する波付き管であることが望ましい。枝管５の外周に形成される波形としては螺旋溝でもよく独立溝でもよい。
【００２９】
また、主管３、枝管５は、可撓性を有する樹脂製であることが望ましく、例えばポリオレフィン樹脂であり、さらに望ましくはポリエチレンまたはポリプロピレンである。また、望ましくは滑剤が添加されることが望ましい。滑剤としては、主管３、枝管５を構成する樹脂と相溶性を有していることが望ましく、例えば脂肪酸系の滑剤が使用できる。
【００３０】
ポリオレフィン系樹脂に含有させる場合は、不飽和脂肪酸アミド系の滑剤を用いると良い、これらの脂肪酸アミド化合物は、樹脂と溶融し、その後の成形過程で樹脂表面に移行し、滑性を示すものです。特に、オレイン酸アミド、ステアリン酸アミドあるいはエルカ酸アミドなどが良好な潤滑性を示す。
【００３１】
脂肪酸系の滑剤は、例えばポリアクリル酸塩、多価アルコール、脂肪酸塩等の混合物を用いることができるが、これらの滑剤は、樹脂に含有させると成形性が低下することがあるため、プラスチックとの接触面での潤滑性を向上させる外部滑剤として用いられ、成形後の管内面に噴霧、或いは塗布して用いると、ケーブルのすべりが良くなり、通線作業が容易となる。（このような滑材としては、例えば、特開２００６−１５８１９７号公報、特開２００６−１３２５８６号公報参照。）
【００３２】
配管分岐構造１は、主管３と枝管５とがカバー７で接続される。主管３内のケーブル９は主管３に設けられたケーブル用開口部１１より外部に取り出されており、枝管５に挿通される。主管３はカバー７の主管保持部１５により保持され、枝管５は、カバー７の枝管保持部１３で保持される。枝管保持部１３先端部近傍の内面には枝管保持突起１４が設けられ、枝管保持部１３に挿入された枝管５の外周の波形が枝管保持突起１４により係止され固定される。なお、カバー７はケーブル用開口部１１全体を覆うように設けられる。
【００３３】
ケーブル用開口部１１は、あらかじめ主管３の製造時に形成してもよい。この場合、ケーブル用開口部１１が直接形成されなくてもよく、例えば開口部形成用の切除部や薄肉部等を設けておいてもよい。また、ケーブルの分岐施工を行う際に、必要に応じて主管３の任意の位置に開口部を形成してもよい。この場合、ケーブル用開口部１１は、主管３が樹脂管であれば主管３の一部を切り取ってもよく、また、鋼管であれば、孔を設けてもよい。ケーブル用開口部１１の形成方法は任意の方法で行うことができる。
【００３４】
次に、カバー７について詳細に説明する。図２、図３はカバー７を示す図であり、図２（ａ）は上面斜視図、図２（ｂ）は下面斜視図であり、図３（ａ）はカバー７の正面図（枝管挿入方向から見た図）、図３（ｂ）は図３（ａ）のＡ−Ａ線断面図である。
【００３５】
カバー７は、主に主管保持部１５、枝管保持部１３等から構成される。カバー７は樹脂製であり弾性変形が可能である。主管保持部１５上には枝管保持部１３が形成される。枝管保持部１３は、主管保持部１５の一方の端部から主管保持部１５の軸方向中央近傍まで形成される。枝管保持部１３が形成されていない範囲の主管保持部１５には、周方向にノッチ部１７が形成される。ノッチ部１７形成位置では主管保持部１５の肉厚が薄くなる。
【００３６】
カバー７の主管保持部１５は、主管３の外形に対応する内面形状を有する（主管３外径よりもわずかに小さな保持空間を有する）半筒状の部位である。カバー７（主管保持部１５）は、主管３の全周に対して半周以上を覆うことが可能である。すなわち、主管保持部１５の断面形状は、半円よりも円弧長が長い円弧断面形状である。カバー７は弾性を有するため、主管３に嵌められる際には、カバー７を主管３に押圧することで、主管保持部１５の開口部１６（下端）が押圧力により、主管３の外周部にそって滑りながら弾性変形して、主管３に嵌められる。また、カバー７が主管３に被せられた状態では、カバー７は主管３の少なくとも半周以上を覆い、カバー７の下端が主管３の外周を抱かかえるため、カバー７は主管３を確実に保持できる。
【００３７】
図３（ａ）に示すように、主管保持部１５上方（主管保持部１５の開口部１６側とは反対側）には枝管保持部１３が設けられる。枝管保持部１３は略筒状の形状であり、枝管５の外径に対応する内径（枝管５外径よりもわずかに小さな保持空間）を有する。また、図３（ｂ）に示すように、枝管保持部１３の先端近傍の内面には、枝管保持突起１４が設けられる。枝管保持突起１４は挿入される枝管５の外周に設けられた波形を保持可能である。なお、枝管保持突起１４は、枝管保持部１３の内面全周に設けられる必要はなく、円周上の一部に設けられればよい。
【００３８】
枝管保持部１３と主管保持部１５とは、同一軸方向に向けて形成され、略雪だるま状の断面形状となる。枝管保持部１３と主管保持部１５との間にはケーブル通過部１９が形成される。ケーブル通過部１９は、枝管保持部１３と主管保持部１５との間に形成される仕切り突起２２により、両保持空間を空間として仕切る仕切り空間である。したがって、ケーブル通過部１９により、枝管保持部１３側の空間と主管保持部１５側の空間とが連続した空間を形成する。すなわち、ケーブル通過部１９とは、枝管の挿入方向側端部からカバー軸方向（図３（ｂ）中矢印Ｆ方向であり、図３（ａ）に示す正面端面と垂直な方向）に連続して形成された開口であり、カバー７の端部側（枝管挿入側）から、挿入される枝管端部が位置する近傍（枝管の挿入口とは反対側の枝管保持部１３の端部近傍）まで連続して設けられたスリット状の隙間（開口）である。
【００３９】
なお、仕切り突起２２によって、主管保持部１５に主管３が保持され、枝管保持部１３に枝管５が保持された状態で、主管３と枝管５とが接触することはない。また、カバー７の態様は図２、図３に示すものに限られない。たとえば、主管３の外形に応じて、カバー７内面に凹凸形状を設けてもよく、主管３、枝管５の断面形状に応じて、主管保持部１５、枝管保持部１３の断面形状は適宜変更することができる。
【００４０】
次に、分岐構造を形成する工程について説明する。図４は、主管３に配管分岐構造を形成する工程を示す図である。まず、図４（ａ）に示すように、主管３を敷設しておく。また、分岐させる側のケーブル９をあらかじめ所定長さ（分岐部からの敷設距離）の枝管５に通線しておく。なお、通線されるケーブル９の長さは、枝管５の長さに加えて、分岐部から主管３内に通線される長さに対応する長さとすればよい。図４（ａ）においては、図中Ｂ位置が分岐部となる。
【００４１】
次に、図４（ｂ）に示すように、分岐位置にケーブル用開口部１１を形成する。ケーブル用開口部１１は、例えば主管３の一部を切除すれば良い。この状態で、あらかじめ枝管５に挿通されていたケーブル９をケーブル用開口部１１より主管３内に挿入する。
【００４２】
なお、主管３を設置するとともに分岐部を形成するような場合には、図４（ｃ）に示すように、あらかじめケーブル用開口部１１を形成した主管３の例えば中継ボックス側からケーブル９を主管３内に通線しておき、ケーブル用開口部１１から取り出したケーブル９を枝管５に通線するようにしてもよい。
【００４３】
主管３、枝管５内にケーブル９が通線されると、次に、図４（ｄ）に示すように、ケーブル用開口部１１を塞ぐように、主管３にカバー７を取り付ける。カバー７により、ケーブル用開口部１１は塞がれる。主管３内のケーブル９は、主管３内よりカバー７の枝管保持部１３内を通り枝管５内に通線される。この際、前述したように、カバー７にケーブル通過部１４が形成されるため、ケーブル９を通線した状態でカバー７を脱着することができる。
【００４４】
最後に、図４（ｅ）に示すように、枝管５の先端を枝管保持部１３に挿入する。枝管５は枝管保持部１３により保持される。以上により、枝管５と主管３とが分岐部で結合され、さらに主管３から枝管５内部へケーブル９が通線し分岐部が形成される。なお、枝管５をカバー７の枝管保持部１３に挿入後、主管３へのカバー７を取り付けてもよい。
【００４５】
図５は、他の分岐構造を形成する工程を示す図である。まず、前述の方法で分岐構造を形成した後、図５（ａ）に示すように、第１の配管部聞カバーであるカバー７を取り外す。なお、図４（ａ）〜（ｃ）までの工程の後、カバー７を取り付ける前に以下の工程を実施してもよい。
【００４６】
次に、図５（ｂ）に示すように、図４（ａ）〜図４（ｃ）と同様の手順で、すでにケーブル９が通線されたケーブル用開口部１１に更に他のケーブル９ａを通線する。なお、ケーブル９ａはケーブル９と同様にあらかじめ枝管５ａ内に通線しておく。以上により、主管３内にケーブル９、９ａが通線され、ケーブル９、９ａがそれぞれ枝管５、５ａに通線された状態となる。
【００４７】
次に、図５（ｃ）に示すように、カバー７を主管３に取り付け、枝管５ａをカバー７の枝管保持部１３に接続する。この際、カバー７がケーブル用開口部１１を完全に塞がないように取り付ける。したがって、カバー７に覆われずに露出したケーブル用開口部１１からケーブル９が主管３内より引き出されて枝管５内に通線されている。
【００４８】
この状態から、図５（ｄ）に示すように、カバー７に併設するように第２の配管部聞カバーであるカバー７ａを設ける。すなわち、カバー７ａはカバー７で覆われずに露出していたケーブル用開口部１１を塞ぐように設置される。したがって、ケーブル用開口部１１はカバー７、７ａによって完全に塞がれる。なお、図中のカバー７ａは長さ調整が行われたものを示す。カバー７ａの長さ調整については後述する。カバー７ａには枝管５が接続される。以上により一つのケーブル用開口部１１（分岐部）から、２本の枝管（ケーブル）を分岐させることができる。
【００４９】
なお、カバー７は必要に応じて長さが調整される。すなわち、カバー７、７ａが併設されるため、そのまま用いたのでは、カバー２つ分の長さとなり、分岐部長さが長くなる。このため、少なくとも一方のカバー長さを調整することが望ましい。また、あらかじめ二つ分の長さのカバーが一体成型されてもよい。たとえば、図５（ｄ）における、カバー７、７ａが一体となったカバーを用いてもよい。一体のカバーを使用した場合には、例えば、あらかじめケーブル９ａをカバーの枝管保持部に挿通しておけばよい。
【００５０】
図６は、カバー７の長さ調整方法を示す図である。図６（ａ）に示すように、カバー７の主管保持部１５には、円周方向にノッチ部１７が形成されている。図６（ｂ）に示すように、カバー７はノッチ部１７をきっかけとして切断することができる。すなわち、ノッチ部１７でカバー７を折ることもでき、または、ノッチ部１７でカッタ等によりカバー７を容易に切断することができる。以上により、カバー７の長さを短くすることができる。
【００５１】
次に、配管構造を有するケーブルの敷設形態について説明する。図７は配管構造２０を示す図であり、たとえば、マンション等の集合住宅において、各部屋にケーブルが引きこまれた状態を示す図である。外部からのケーブルは、例えば中継ボックス２３に接続される。中継ボックス２３からは、主管３、３ａが接続される。図７の例では、例えば各階に主管３、３ａが敷設され、各部屋ごとに設けられるケーブル挿入口２１近傍で分岐される。分岐部にはカバー７が設けられ、枝管５が接続される。ケーブルは、中継ボックス２３から主管３、３ａを通り、分岐部で枝管５内に挿通され各部屋に引き込まれる。
【００５２】
図８は、他の配管構造３０を示す図である。中継ボックス２３からは、主管３が接続される。図８の例では、例えば上下階の間に主管３が敷設され、各部屋ごとに設けられるケーブル挿入口２１近傍で分岐される。分岐部では、図５に示したように、一つのケーブル用開口部に二つの枝管５ａ、５ｂが接続される。分岐部で分岐した一方の枝管５ａは、上階側の部屋のケーブル挿入孔２１に引き込まれ、他の枝管５ｂは下階の部屋のケーブル挿入孔２１に引き込まれる。分岐部には二つのカバー７が設けられる。ケーブルは、中継ボックス２３から主管３を通り、分岐部で枝管５ａ、５ｂ内に挿通され各部屋に引き込まれる。
【００５３】
図９は、さらに他の配管構造４０を示す図である。中継ボックス２３からは、主管３が接続される。図９の例では、例えば各上下階の間に主管３が敷設され、各部屋ごとに設けられるケーブル挿入口２１近傍で分岐される。各部屋のケーブル挿入孔２１の位置が、隣接する部屋の中心に対して対称である場合、一方の側の分岐部では、一つのケーブル用開口部に二つの枝管５ｃ、５ｄを接続したのち、枝管５ｃ、５ｄを分岐方向とは逆方向に主管３に沿ってとりまわし、一方の枝管５ｄは、上階側の部屋のケーブル挿入孔２１に引き込まれ、他の枝管５ｃは下階の部屋のケーブル挿入孔２１に引き込まれる。分岐部にはカバー７が設けられ、ケーブルは、中継ボックス２３から主管３を通り、分岐部で枝管５等内に挿通され各部屋に引き込まれる。
【００５４】
次に、敷設された主管３に対し、敷設後にケーブル９をさらに通線する際の方法を説明する。図１０は、例えば、主管３内に新たにケーブル９を挿通して分岐部を増やす場合などにおいて、すでに敷設されている主管３内にケーブル９を通線する工程を示す図である。図１０の例では、増設する分岐部近傍に新たに設けられたケーブル用開口部１１から中継ボックス２３までの主管３にケーブル９を通線する例について説明する。
【００５５】
まず、ケーブル９を通線したい範囲の中間部等にダミーのケーブル用開口部１１ａを構築する。ケーブル用開口部１１ａは、例えば、通線する始点から終点までの中間地点や、または、図１０（ａ）に示すように、敷設された主管３のコーナー部近傍であることが望ましい。
【００５６】
次に、図１０（ｂ）に示すように、ケーブル用開口部１１よりケーブル９の端部を挿入する（図中矢印Ｃ方向）。なお、ケーブル９はあらかじめ枝管に通線しておき、必要に応じてケーブル挿入口２１に引き込んでおいてもよい。
【００５７】
次に、ケーブル９を主管３内に送り込み、ケーブル９端部をケーブル用開口部１１ａまで通線する。ケーブル９がケーブル用開口部１１ａまで通線されたら、ケーブル用開口部１１ａからケーブル９の端部を取り出す（図中矢印Ｄ方向）。
【００５８】
ある程度の長さのケーブル９がケーブル用開口部１１ａから引き出された段階で、ケーブル９の端部を再度ケーブル用開口部１１ａに挿入し、中継ボックス２３方向へ送り込む（図中矢印Ｅ方向）。
【００５９】
この状態で、図１０（ｃ）に示すように、ケーブル用開口部１１よりさらにケーブル９を送りつつ、ケーブル用開口部１１ａではケーブル９を引き抜きながら、同時にケーブル９をケーブル用開口部１１ａから送りこむ。すなわち、敷設された主管３の複数か所からケーブル９の通線作業が行われる。
【００６０】
このため、例えばケーブル用開口部１１から主管３内への通線作業に対しては、ケーブル用開口部１１からケーブル用開口部１１ａまでの通線抵抗のみを受け、ケーブル用開口部１１ａからの通線は、ケーブル用開口部１１ａから中継ボックス２３までの通線抵抗のみを受ける。このため、長い距離の通線作業であっても容易にケーブル９を通線することができる。
【００６１】
特に、通常、敷設された保護管のコーナー部近傍等においては、ケーブル９が引っ掛かり、通線作業が困難であるが、コーナー部近傍にケーブルケーブル用開口部１１ａ（すなわち通線作業部）を設ければ、容易にケーブル９を誘導することができるため通線作業が容易である。
【００６２】
なお、ケーブル用開口部１１ａは、１ヶ所のみでなく、複数か所に配置してもよい。また、ダミー用のケーブル用開口部１１ａは、通線作業後は完全に塞がれる。
【００６３】
以上説明したように、本実施の形態にかかる配管構造によれば、ケーブル逃げ部を有するカバー７を用い、主管３と枝管５とをそれぞれ保持し、ケーブルを分岐するため、カバー７の取り付け性や作業性が良い。また、ケーブル用開口部１１はカバー７によって完全に覆われるため、分岐部から主管３内等に水等の侵入がない。
【００６４】
また、一か所から複数の分岐を形成せる場合においても、カバー７を併設するため、確実に複数分岐部を形成することができる。この際、カバー７にノッチ部１７が設けられるため、カバー７の長さを容易に調整することができる。このため、カバー７を併設するような場合でも、分岐部の長さを短くすることができる。
【００６５】
カバー７にはケーブル通過部が形成されるため、ケーブルが主管３および枝管５に挿通された状態でも、カバー７の脱着を容易に行うことができ、カバーの交換や増設も容易である。カバー７を用いて分岐部を形成すれば、作業性に優れ、水等の侵入がない配管分岐構造を容易に得ることができる。
【００６６】
また、主管保持部１５の下方に開口が形成され、主管保持部１５と枝管保持部１３との間に、仕切り空間を介して連続した空間が形成されるため、主管保持部は１５開口部を開き、容易に主管３に取り付け可能である。また、枝管保持部１３も、主管保持部１５と連続しているため仕切り空間側または主管保持部の開口側を開くことで容易に枝管５を挿入することができ、容易に枝管５と主管３とを接続できる。
【００６７】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６８】
たとえば、一つのケーブル用開口部より二つの分岐部を形成する方法を示したが、さらに多くの分岐部を設けてもよい。たとえば、３以上のカバーを併設すれば、３以上の分岐部を一つのケーブル用開口部に形成することもできる。また、カバー７の主管保持部１５と枝管保持部１３の径を略同一とすれば、主管同士、枝管同士の分岐構造を得ることもできる。
【００６９】
また、図１１に示すように、仕切り部２２ａを有するカバー７’を用いてもよい。カバー７’は仕切り部２２ａによって主管保持部１５と枝管保持部１３とが仕切られる。仕切り部２２ａはケーブル通過部１９方向に突出する突起状の形態ではなく、また、仕切り部２２ａによって主管保持部１５と枝管保持部１３との間に仕切り部２２ａの厚み分のケーブル通過部１９である空間が形成される。カバー７’によってもカバー７と同様の効果を得ることができる。
【００７０】
また、図１２に示すように、蓋部２５を有するカバー７’’を用いてもよい。図１２（ａ）は、蓋部２５が開いた状態を示す図、図１２（ｂ）は、蓋部２５が閉じた状態を示す図である。カバー７’’は主管保持部１５の開口部１６側の一方の端部と薄肉部２７を介して接続されている。蓋部２５の端部には内方に向かって突出する結合部である結合突起３１が形成される。主管保持部１５の開口部１６側の他方の端部（蓋部２５との接合される薄肉部２７とは反対側の端部）には、外面に結合部である結合溝２９が形成される。
【００７１】
蓋部２５は、薄肉部２７を基点として回動動作が可能である。図１２（ａ）に示す状態では、前述のカバー７と同様に用いられ、主管保持部１５に主管３を挿入可能である。主管保持部１５に主管３がはめられた後、図１２（ｂ）に示すように、蓋部２５を閉じる。この際、蓋部２５は薄肉部２７を起点に閉じられ、結合突起３１が結合溝２９と嵌合して結合される。したがって、蓋部２５が開口部１６を塞ぐように固定される。カバー７’’によってもカバー７と同様の効果を得ることができる。また、より確実に主管３を主管保持部１５で保持することができる。
【００７２】
また、図１３（ａ）に示すように、複数の枝管保持部１３ａ、１３ｂを有するカバー７’’’を用いてもよい。カバー７’’’は、一つの主管保持部１５に対して二つの枝管保持部１３ａ、１３ｂが形成される。主管保持部１５とそれぞれの枝管保持部１３ａ、１３ｂとの間にはケーブル通過部１９が形成される。すなわち、ケーブル通過部１９によって、主管保持部１５および枝管保持部１３ａ、１３ｂは空間的に連続する。枝管保持部１３ａ、１３ｂの間には、仕切り突起２２ｂが形成される。仕切り突起２２ｂは枝管保持部１３ａ、１３ｂに挿入されるそれぞれの枝管同士を仕切るものである。カバー７’’’によってもカバー７と同様の効果を得ることができる。また、一つのカバーによって、複数の枝管を保持することができ、複数の枝管の分岐構造を容易に形成することができる。なお、カバー７’’’において、仕切り突起２２ｂを設けなくても枝管を保持可能であれば良い。また、図１３（ｂ）に示すカバー’’’’のように、枝管保持部１３ａ、１３ｂがそれぞれ離れて独立して設けられてもよい。この場合、それぞれの枝管保持部１３ａ、１３ｂがそれぞれケーブル通過部１９によって主管保持部１５と連通して空間が連続する。
【符号の説明】
【００７３】
１、２０、３０、４０………配管分岐構造
３………主管
５………枝管
７………カバー
９………ケーブル
１１………ケーブル用開口部
１３………枝管保持部
１４………枝管保持突起
１５………主管保持部
１６………開口部
１７………ノッチ部
１９………ケーブル通過部
２２、２２ｂ………仕切り突起
２２ａ………仕切り部
２１………ケーブル挿入口
２３………中継ボックス
２５………蓋部
２７………薄肉部
２９………結合溝
３１………結合突起
【図１】
2011041395.tif 000003
【図２】
2011041395.tif 000004
【図３】
2011041395.tif 000005
【図４】
2011041395.tif 000006
【図５】
2011041395.tif 000007
【図６】
2011041395.tif 000008
【図７】
2011041395.tif 000009
【図８】
2011041395.tif 000010
【図９】
2011041395.tif 000011
【図１０】
2011041395.tif 000012
【図１１】
2011041395.tif 000013
【図１２】
2011041395.tif 000014
【図１３】
2011041395.tif 000015
【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
内部にケーブルが通線される主管に取り付けられる樹脂製のカバーであって、
前記主管を保持する主管保持部と、
前記主管に設けられた開口部より取り出された前記ケーブルが通線される枝管を保持する枝管保持部と、
を少なくとも具備し、
（Ａ）前記主管保持部と前記枝管保持部との間が仕切り空間を介して連続した空間を形成し、
（Ｂ）前記主管保持部の先端が開口しており、前記主管保持部の保持空間が、前記主管の断面よりも小さく、前記主管を前記主管保持部に取り付けた状態では、前記主管を挟み込むように前記主管保持部が弾性変形により開口可能であり、
（Ｃ）前記枝管保持部の保持空間が、前記枝管の断面よりも小さく、前記枝管を前記枝管保持部に挿入した状態では、前記枝管を挟み込むように前記枝管保持部が弾性変形により開口可能であり、
（Ｄ）前記主管保持部と前記枝管保持部との間には、前記ケーブルが通過可能なケーブル通過部が形成され、
前記ケーブル通過部は、前記枝管保持部における前記枝管の挿入側端部から、前記枝管の挿入側端部とは反対側の前記枝管保持部の端部近傍まで連続して設けられた、前記主管保持部と前記枝管保持部との間のスリット状の隙間であり、
上記（Ａ）から（Ｄ）の構成を少なくとも具備することを特徴とする配管分岐カバー。
【請求項２】
前記仕切り空間は、仕切り壁または仕切り部によって形成されることを特徴とする請求項１記載の配管分岐カバー。
【請求項３】
前記枝管保持部の先端内面には、前記枝管を保持可能な突起が形成されることを特徴とする請求項１または請求項２に記載の配管分岐カバー。
【請求項４】
前記主管保持部の円周方向にはノッチが設けられ、前記ノッチに沿って前記主管保持部を切断することでカバー本体の長さを調整可能であることを特徴とする請求項１から請求項３のいずれかに記載の配管分岐カバー。
【請求項５】
前記主管保持部の開口には開閉可能な蓋部が形成され、前記蓋部の一方の端部と前記主管保持部の開口の一方の側の先端とが薄肉部で接合されており、前記蓋部の他方の端部および前記主管保持部の開口の他方の側の先端には、互いに結合可能な結合部が形成され、前記蓋部を閉じた状態では前記主管保持部の開口を塞ぐことが可能であることを特徴とする請求項１から請求項４のいずれかに記載の配管分岐カバー。
【請求項６】
前記枝管保持部が前記主管保持部に複数設けられ、前記主管保持部と複数の前記枝管保持部との間に仕切り壁または仕切り部によって形成された仕切り空間を介して連続した空間が形成され、前記主管保持部と複数の前記枝管保持部との間には、前記ケーブルが通過可能なケーブル通過部が形成されることを特徴とする請求項１から請求項５のいずれかに記載の配管分岐カバー。
【請求項７】
請求項１から請求項６いずれかに記載の配管分岐カバーを用い、
第１の枝管内に通された第１のケーブルを主管に設けられた開口部より前記主管内に通線する工程（ａ）と、
前記開口部を覆うように前記主管保持部で第１の配管分岐カバーを前記主管に設ける工程（ｂ）と、
前記第１の配管分岐カバーの前記枝管保持部に前記第１の枝管を接続する工程（ｃ）と、
を具備することを特徴とするケーブルの敷設方法。
【請求項８】
請求項１から請求項６いずれかに記載の配管分岐カバーを用い、
第１のケーブルを主管に通線し、前記主管に設けられた開口部より取り出す工程（ｄ）と、
前記第１のケーブルを第１の枝管に通線する工程（ｅ）と、
前記開口部を覆うように前記主管保持部で第１の配管分岐カバーを前記主管に設ける工程（ｂ）と、
前記第１の配管分岐カバーの前記枝管保持部に前記第１の枝管を接続する工程（ｃ）と、
を具備することを特徴とするケーブルの敷設方法。
【請求項９】
前記工程（ｂ）では、前記第１の配管分岐カバーは、前記開口部の一部を覆うように設けられ、
前記工程（ｂ）の後、第２の枝管内に通された第２のケーブルを前記開口部より前記主管に通線する工程（ｆ）と、
前記第１の配管分岐カバーと隣接し、かつ、前記開口部の全体を覆うように前記主管保持部で第２の配管分岐カバーを前記主管に設ける工程（ｇ）と、
前記第２の配管分岐カバーの前記枝管保持部に前記第２の枝管を接続する工程（ｈ）と、
を更に具備することを特徴とする請求項７または請求項８記載のケーブルの敷設方法。
【請求項１０】
前記工程（ａ）〜工程（ｃ）を繰り返し、
前記主管に所定の間隔をあけて前記開口部を複数設け、
それぞれの前記開口部に、枝管内に通されたそれぞれのケーブルを前記主管内に通線し、
それぞれの前記開口部を覆うように前記配管分岐カバーを前記主管に設け、
ぞれぞれの前記配管分岐カバーの前記枝管保持部に前記枝管を接続し、
前記主管に複数の分岐部を形成することを特徴とする請求項７記載のケーブルの敷設方法。
【請求項１１】
内部にケーブルが通線され、前記ケーブルを外部に取り出す開口部を有する主管と、
前記主管の前記開口部を覆うように設けられるカバーと、
前記開口部より取り出された前記ケーブルが通線される枝管と、
を具備し、
樹脂製の前記カバーは、前記主管を保持する主管保持部と、前記枝管を保持する枝管保持部とを有し、
前記主管保持部と前記枝管保持部との間が仕切り壁または仕切り部によって形成された仕切り空間を介して連続した空間を形成し、
前記主管保持部と前記枝管保持部との間には、前記ケーブルが通過可能なケーブル通過部が形成され、
前記ケーブル通過部は、前記枝管保持部における前記枝管の挿入側端部から、前記枝管の挿入側端部とは反対側の前記枝管保持部の端部近傍まで連続して設けられた前記主管保持部と前記枝管保持部との間のスリット状の隙間であり、
前記主管保持部の先端が開口しており、前記主管保持部の保持空間が、前記主管の断面よりも小さく、前記主管を前記主管保持部に取り付けた状態では、前記主管を挟み込むように前記主管保持部が弾性変形により開口し、
前記枝管保持部の保持空間が、前記枝管の断面よりも小さく、前記枝管を前記枝管保持部に挿入した状態では、前記枝管を挟み込むように前記枝管保持部が弾性変形により開口することを特徴とする配管構造。
【請求項１２】
前記開口部から複数のケーブルが取り出され、前記開口部を覆うように前記カバーが設けられ、複数の前記カバーまたは複数の枝管保持部を有する前記カバーにそれぞれ前記枝管が接続され、それぞれの前記枝管にケーブルが通線されることを特徴とする請求項１１記載の配管構造。
【手続補正２】
【補正対象書類名】明細書
【補正対象項目名】０００７
【補正方法】変更
【補正の内容】
【０００７】
前述した目的を達成するため、第１の発明は、内部にケーブルが通線される主管に取り付けられる樹脂製のカバーであって、前記主管を保持する主管保持部と、前記主管に設けられた開口部より取り出された前記ケーブルが通線される枝管を保持する枝管保持部と、を少なくとも具備し、（Ａ）前記主管保持部と前記枝管保持部との間が仕切り空間を介して連続した空間を形成し、（Ｂ）前記主管保持部の先端が開口しており、前記主管保持部の保持空間が、前記主管の断面よりも小さく、前記主管を前記主管保持部に取り付けた状態では、前記主管を挟み込むように前記主管保持部が弾性変形により開口可能であり、（Ｃ）前記枝管保持部の保持空間が、前記枝管の断面よりも小さく、前記枝管を前記枝管保持部に挿入した状態では、前記枝管を挟み込むように前記枝管保持部が弾性変形により開口可能であり、（Ｄ）前記主管保持部と前記枝管保持部との間には、前記ケーブルが通過可能なケーブル通過部が形成され、前記ケーブル通過部は、前記枝管保持部における前記枝管の挿入側端部から、前記枝管の挿入側端部とは反対側の前記枝管保持部の端部近傍まで連続して設けられた、前記主管保持部と前記枝管保持部との間のスリット状の隙間であり、上記（Ａ）から（Ｄ）の構成を少なくとも具備することを特徴とする配管分岐カバーである。前記仕切り空間は、仕切り壁または仕切り部によって形成されてもよい。
【手続補正３】
【補正対象書類名】明細書
【補正対象項目名】０００８
【補正方法】変更
【補正の内容】
【０００８】
なお、主管は、例えば中継ボックスからケーブル敷設範囲に設置され、複数のケーブルが挿通される保護管であり、主管としては樹脂製、鋼製などが使用でき、波付き管や直管等任意の形状のものが使用できる。また、枝管は、主管から分岐して各部屋等まで敷設されたケーブルを保護するものであり、可撓性を有する波付き管であることが望ましい。
【手続補正４】
【補正対象書類名】明細書
【補正対象項目名】０００９
【補正方法】変更
【補正の内容】
【０００９】
前記枝管保持部の先端内面には、前記枝管を保持可能な突起が形成されてもよい。
【手続補正５】
【補正対象書類名】明細書
【補正対象項目名】００１０
【補正方法】変更
【補正の内容】
【００１０】
前記主管保持部の円周方向にはノッチが設けられ、前記ノッチに沿って前記主管保持部を切断することでカバー本体の長さを調整可能であってもよい。前記枝管保持部が前記主管保持部に複数設けられ、前記主管保持部と複数の前記枝管保持部との間に仕切り壁または仕切り部によって形成された仕切り空間を介して連続した空間が形成され、前記主管保持部と複数の前記枝管保持部との間には、前記ケーブルが通過可能なケーブル通過部が形成されてもよい。
【手続補正６】
【補正対象書類名】明細書
【補正対象項目名】００１１
【補正方法】変更
【補正の内容】
【００１１】
第１の発明によれば、主管と枝管との分岐部において、主管と枝管とを確実に保持することができるとともに、主管に設けられたケーブル取り出し開口部を確実に塞ぐことができる。特に、主管保持部の先端に開口が形成され、主管保持部と枝管保持部との間に、仕切り壁または仕切り部によって形成された仕切り空間を介して連続した空間が形成されるため、主管保持部は開口部を開き、容易に主管に取り付け可能であるとともに、枝管保持部も仕切り空間側、すなわち主管保持部の開口側を開くことで容易に枝管を挿入することができ、容易に枝管と主管とを接続できる。また、カバーの主管保持部は弾性変形可能であり、主管の半周以上を覆うことができるような（半円よりも円弧長が長い）円弧断面形状であるため、確実に主管を保持することができる。なお、主管保持部の先端とは、主管保持部の下端であり枝管保持部形成側とは反対側の端部である。
【手続補正７】
【補正対象書類名】明細書
【補正対象項目名】００１２
【補正方法】変更
【補正の内容】
【００１２】
また、主管保持部と枝管保持部との間にケーブルが通過可能なケーブル通過部が形成され、主管保持部と枝管保持部との間が完全につながらないように隙間が形成されるため、ケーブルが主管と枝管に挿通された状態で、カバーを主管および枝管に取り付けることができる。このため、カバー装着時にケーブルを撤去する必要がなく、または、あらかじめカバーにケーブルを挿通させておく必要がなく作業性に優れる。また、主管保持部と枝管保持部との間にケーブル通過部が設けられ、主管保持部上部が開口して円周方向につながっていないため、主管保持部を主管に取り付ける際に、より簡単に主管保持部端部を弾性変形させて開くことができる。このため、カバーの主管への取り付け性に優れる。
【手続補正８】
【補正対象書類名】明細書
【補正対象項目名】００１３
【補正方法】変更
【補正の内容】
【００１３】
また、ケーブル逃げ部が枝管の挿入方向側端部から連続して形成された開口であれば、ケーブルを主管および枝管に挿通させた状態でカバーを確実に着脱することができ、また、枝管の先端内面に突起を設けておけば、波付き管である枝管をより確実に保持することができる。
【手続補正９】
【補正対象書類名】明細書
【補正対象項目名】００１４
【補正方法】変更
【補正の内容】
【００１４】
また、主管保持部の円周方向にノッチを設けておけば、ノッチに沿ってカバーを折る（または切断）することができる。このため、使用状態に応じてカバーの長さを調整することができる。また、複数のカバーを併設する際には、少なくとも一方のカバーの長さを短くすることで、分岐部をコンパクトにすることができる。また、蓋部を有すれば、主管保持部で主管を保持した際に、主管により確実に取り付けることが可能である。また、枝管保持部が主管保持部に複数（例えば２つ）設けられ、主管保持部と複数の枝管保持部全体との間には、ケーブルが通過可能なケーブル通過部が形成されれば、複数の枝管への配管分岐構造を容易に形成することができる。
【手続補正１０】
【補正対象書類名】明細書
【補正対象項目名】００１５
【補正方法】変更
【補正の内容】
【００１５】
第２の発明は、第１の発明にかかる配管分岐カバーを用い、第１の枝管内に通された第１のケーブルを主管に設けられた開口部より前記主管内に通線する工程（ａ）と、前記開口部を覆うように前記主管保持部で第１の配管分岐カバーを前記主管に設ける工程（ｂ）と、前記第１の配管分岐カバーの前記枝管保持部に前記第１の枝管を接続する工程（ｃ）と、を具備することを特徴とするケーブルの敷設方法である。この場合、前記工程（ａ）〜工程（ｃ）を繰り返し、前記主管に所定の間隔をあけて前記開口部を複数設け、それぞれの前記開口部に、枝管内に通されたそれぞれのケーブルを前記主管内に通線し、それぞれの前記開口部を覆うように前記配管分岐カバーを前記主管に設け、ぞれぞれの前記配管分岐カバーの前記枝管保持部に前記枝管を接続し、前記主管に複数の分岐部を形成してもよい。
【手続補正１１】
【補正対象書類名】明細書
【補正対象項目名】００１６
【補正方法】変更
【補正の内容】
【００１６】
また第１の発明にかかる配管分岐カバーを用い、第１のケーブルを主管に通線し、前記主管に設けられた開口部より取り出す工程（ｄ）と、前記第１のケーブルを第１の枝管に通線する工程（ｅ）と、前記開口部を覆うように前記主管保持部で第１の配管分岐カバーを前記主管に設ける工程（ｂ）と、前記第１の配管分岐カバーの前記枝管保持部に前記第１の枝管を接続する工程（ｃ）と、を具備することを特徴とするケーブルの敷設方法である。
【手続補正１２】
【補正対象書類名】明細書
【補正対象項目名】００１７
【補正方法】変更
【補正の内容】
【００１７】
前記工程（ｂ）では、前記第１の配管分岐カバーは、前記開口部の一部を覆うように設けられ、前記工程（ｂ）の後、第２の枝管内に通された第２のケーブルを前記開口部より前記主管に通線する工程（ｆ）と、前記第１の配管分岐カバーと隣接し、かつ、前記開口部の全体を覆うように前記主管保持部で第２の配管分岐カバーを前記主管に設ける工程（ｇ）と、前記第２の配管分岐カバーの前記枝管保持部に前記第２の枝管を接続する工程（ｈ）と、を更に具備してもよい。
【手続補正１３】
【補正対象書類名】明細書
【補正対象項目名】００１８
【補正方法】変更
【補正の内容】
【００１８】
第２の発明によれば、主管の所望の位置において簡易な方法で内部のケーブルの分岐構造を形成でき、簡易にケーブルを敷設することができる。また、形成された分岐構造から主管内部に水等が浸入することがない。
【手続補正１４】
【補正対象書類名】明細書
【補正対象項目名】００１９
【補正方法】変更
【補正の内容】
【００１９】
また、一つの開口部を覆うように複数のカバーを設ければ、主管に設けた一つの開口部から複数の分岐部を形成することができる。このため、例えば、上階と下階との間に主管を通し、上下階の各部屋に枝管を敷設するような場合に、主管に不必要に多数の開口部を設ける必要がない。
【手続補正１５】
【補正対象書類名】明細書
【補正対象項目名】００２０
【補正方法】変更
【補正の内容】
【００２０】
また、主管に所定の間隔をあけて開口部を設け、それぞれの開口部に対してケーブルを挿通することで、例えば同一階の隣接する各部屋に対してケーブルを敷設する場合に、各部屋に近い位置に開口部を設ければ、必要以上に長い枝管を必要とせず、ケーブルの敷設作業が容易である。
【手続補正１６】
【補正対象書類名】明細書
【補正対象項目名】００２１
【補正方法】変更
【補正の内容】
【００２１】
第３の発明は、内部にケーブルが通線され、前記ケーブルを外部に取り出す開口部を有する主管と、前記主管の前記開口部を覆うように設けられるカバーと、前記開口部より取り出された前記ケーブルが通線される枝管と、を具備し、樹脂製の前記カバーは、前記主管を保持する主管保持部と、前記枝管を保持する枝管保持部とを有し、前記主管保持部と前記枝管保持部との間が仕切り壁または仕切り部によって形成された仕切り空間を介して連続した空間を形成し、前記主管保持部と前記枝管保持部との間には、前記ケーブルが通過可能なケーブル通過部が形成され、前記ケーブル通過部は、前記枝管保持部における前記枝管の挿入側端部から、前記枝管の挿入側端部とは反対側の前記枝管保持部の端部近傍まで連続して設けられた前記主管保持部と前記枝管保持部との間のスリット状の隙間であり、前記主管保持部の先端が開口しており、前記主管保持部の保持空間が、前記主管の断面よりも小さく、前記主管を前記主管保持部に取り付けた状態では、前記主管を挟み込むように前記主管保持部が弾性変形により開口し、前記枝管保持部の保持空間が、前記枝管の断面よりも小さく、前記枝管を前記枝管保持部に挿入した状態では、前記枝管を挟み込むように前記枝管保持部が弾性変形により開口することを特徴とする配管構造である。
【手続補正１７】
【補正対象書類名】明細書
【補正対象項目名】００２２
【補正方法】変更
【補正の内容】
【００２２】
前記開口部から複数のケーブルが取り出され、前記開口部を覆うように前記カバーが設けられ、複数の前記カバーまたは複数の枝管保持部を有する前記カバーにそれぞれ前記枝管が接続され、それぞれの前記枝管にケーブルが通線されてもよい。
【手続補正１８】
【補正対象書類名】明細書
【補正対象項目名】００２３
【補正方法】変更
【補正の内容】
【００２３】
第３の発明によれば、主管と枝管との分岐部にカバーが設けられ、主管保持部の弾性変形で主管を抱え込むように取り付けることができる。特に、主管保持部の一部に開口が形成され、主管保持部と枝管保持部との間に仕切り壁または仕切り部によって形成された、仕切り空間を介して連続した空間が形成されるため、主管保持部は開口部を開き、容易に主管に取り付け可能であるとともに、枝管保持部も仕切り空間側を開くことで容易に枝管を挿入することができ、容易に枝管と主管とを接続できる。また、主管に設けられた開口部を確実に塞ぎ、水等の侵入を防ぐことができるとともに、簡易で作業性に優れるケーブルの分岐部の配管構造を得ることができる。
【手続補正１９】
【補正対象書類名】明細書
【補正対象項目名】００２４
【補正方法】変更
【補正の内容】
【００２４】
また、主管に設けられた一つの開口部から、複数のケーブルが分岐する場合において、当該開口部を塞ぐように複数のカバーを併設するか、もしくは、複数の枝管を有する一体のカバーで当該開口部を塞ぐようにし、それぞれの枝管保持部に枝管を接続することができるため、一か所で複数の分岐を伴うような配管構造であっても、確実に枝管等を保持することができるとともに、主管への水等の侵入を防ぐことができる。